【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】  画像のシーケンスを表わしているビデオ信号を符号化して符号化ビデオ信号を作成する方法であって、
画像の全部又は一部についての誤り隠蔽アルゴリズムタイプ指示子を発生させるステップと、
対応する復号化過程で、前記画像の符号化モードの指示とは分離して使用する前記誤り隠蔽アルゴリズムタイプ指示子を提供するステップとを含み、
前記誤り隠蔽アルゴリズムタイプ指示子は、誤り隠蔽アルゴリズムのタイプを指示し、該指示は前記対応する復号化過程で特定の誤り隠蔽アルゴリズムのタイプを選択する基礎として使用されることを特徴とする方法。
【請求項２】  請求項１に記載の方法において、
時間的予測タイプ又は非時間的予測タイプの誤り隠蔽アルゴリズムのいずれかを示す前記誤り隠蔽アルゴリズムタイプ指示子を発生させることを特徴とする方法。
【請求項３】  請求項１に記載の方法において、
前記誤り隠蔽アルゴリズムタイプ指示子を発生させるステップは、
前記シーケンスの第１の画像又はその一部と前記シーケンスの第２の画像とを比較する
ステップと、
前記第１の画像又はその一部と前記第２の画像との間の類似性の測度を計算するステップと、
類似性の前記測度を類似性の所定の基準と比較するステップとを含むことを特徴とする方法。
【請求項４】  請求項２に記載の方法において、
前記誤り隠蔽アルゴリズムタイプ指示子を発生させるステップは、
前記シーケンスの第１の画像又はその一部と前記シーケンスの第２の画像とを比較するステップと、
前記第１の画像又はその一部と前記第２の画像との間の類似性の測度を計算するステップと、
類似性の前記測度を類似性の所定の基準と比較するステップとを含むことを特徴とする方法。
【請求項５】  請求項４に記載の方法において、
類似性の前記測度が類似性の前記所定の基準を満たさない時には、非時間的予測誤り隠蔽アルゴリズムが、前記第１の画像又はその一部についての対応する復号化過程で使用されるべきであることを示す前記誤り隠蔽アルゴリズムタイプ指示子を発生させるステップと、
類似性の前記測度が類似性の前記所定の基準を満たす時には、時間的予測誤り隠蔽アルゴリズムが、前記第１の画像又はその一部についての対応する復号化過程で使用されるべきであることを示す前記誤り隠蔽アルゴリズムタイプ指示子を発生させるステップとを含むことを特徴とする方法。
【請求項６】  請求項５に記載の方法において、
類似性の前記測度が類似性の前記所定の基準を満たさない時には、前記誤り隠蔽アルゴリズムタイプ指示子を更新するステップを含むことを特徴とする方法。
【請求項７】  請求項５に記載の方法において、
前記誤り隠蔽アルゴリズムタイプ指示子を画像ヘッダ内に包含せしめるステップを含むことを特徴とする方法。
【請求項８】  請求項５に記載の方法において、
前記ビデオ信号をＨ．２６３規格に従って符号化し、前記誤り隠蔽アルゴリズムタイプ指示子を前記規格の「補助的エンハンスメント情報」内に包含せしめるステップを含むことを特徴とする方法。
【請求項９】  請求項５に記載の方法において、
類似性の前記測度が類似性の前記所定の基準を満たしていない時には、前記誤り隠蔽アルゴリズムタイプ指示子を更新し、満たしている時には変更しないでそのままにしておくステップを含むことを特徴とする方法。
【請求項１０】  請求項５に記載の方法において、
前記誤り隠蔽アルゴリズムタイプ指示子としてシーン識別子を使用するステップを含み、前記シーン識別子はシーンの全ての画像に対して同一値を持ち、各異なるシーンに対して異なる値を持つことを特徴とする方法。
【請求項１１】  請求項５に記載の方法において、
前記誤り隠蔽アルゴリズムタイプ指示子としてシーン識別子を使用するステップを含み、前記シーン識別子はシーンの全ての画像に対して２つの値の１つを持ち、隣接シーンからの画像に対して非同一のシーン識別子の値を持つことを特徴とする方法。
【請求項１２】  請求項５に記載の方法において、
前記誤り隠蔽アルゴリズムタイプ指示子を画像セグメントヘッダ及び／又はマクロブロックヘッダ内に包含せしめるステップを含むことを特徴とする方法。
【請求項１３】  請求項５に記載の方法において、
画像の特定の矩形領域に適用される誤り隠蔽アルゴリズムのタイプを示す前記誤り隠蔽アルゴリズムタイプ指示子を発生させるステップを含むことを特徴とする方法。
【請求項１４】  請求項１３に記載の方法において、
画像に対して複数の誤り隠蔽アルゴリズムタイプ指示子を発生させるステップを含み、各誤り隠蔽アルゴリズムタイプ指示子は前記画像の複数の重なり合っていない矩形領域に１つ１つ対応していることを特徴とする方法。
【請求項１５】  画像のシーケンスを表わしている符号化されたビデオ信号を復号化する方法であって、
画像の全部又は一部についての誤り隠蔽アルゴリズムタイプ指示子を受信するステップと、
受信した前記誤り隠蔽アルゴリズムタイプ指示子を指示されたタイプの特定の誤り隠蔽アルゴリズムを選択するための基礎として使用するステップと、
選択された前記誤り隠蔽アルゴリズムを適用して前記画像又はその一部中にある誤りを隠蔽するステップとを含み、
前記誤り隠蔽アルゴリズムタイプ指示子は、前記画像の符号化モードの指示とは分離して使用されることを特徴とする方法。
【請求項１６】  請求項１５に記載の方法において、
前記誤り隠蔽アルゴリズムタイプ指示子を、誤り隠蔽アルゴリズムの時間的予測タイプ又は非時間的予測タイプのいずれかの指示として使用するステップを含むことを特徴とする方法。
【請求項１７】  請求項１６に記載の方法において、
前記誤り隠蔽アルゴリズムタイプ指示子を画像ヘッダから取得するステップを含むことを特徴とする方法。
【請求項１８】  請求項１６に記載の方法において、
Ｈ．２６３規格に従って符号化されたビデオ信号を受信し、前記符号化されたビデオ信号をＨ．２６３規格に従って復号化し、前記誤り隠蔽アルゴリズムタイプ指示子を前記規格の「補助的エンハンスメント情報」から取得するステップを含むことを特徴とする方法。
【請求項１９】  請求項１６に記載の方法において、
前記誤り隠蔽アルゴリズムタイプ指示子としてシーン識別子を使用するステップを含み、前記シーン識別子はシーンの全ての画像に対して同一値を持ち、各異なるシーンに対して異なる値を持つことを特徴とする方法。
【請求項２０】  請求項１６に記載の方法において、
前記誤り隠蔽アルゴリズムタイプ指示子としてシーン識別子を使用するステップを含み、前記シーン識別子はシーンの全ての画像に対して２つの値の１つを持ち、隣接シーンからの画像に対して非同一のシーン識別子の値を持つことを特徴とする方法。
【請求項２１】  請求項１６に記載の方法において、
前記誤り隠蔽アルゴリズムタイプ指示子を画像セグメントヘッダ又はマクロブロックヘッダから取得するステップを含むことを特徴とする方法。
【請求項２２】  請求項１６に記載の方法において、
前記誤り隠蔽アルゴリズムタイプ指示子を、画像の特定の矩形領域に適用される誤り隠蔽アルゴリズムのタイプを示す指示として使用するステップを含むことを特徴とする方法。
【請求項２３】  請求項２２に記載の方法において、
画像に対して複数の誤り隠蔽アルゴリズムタイプ指示子を受信し、各誤り隠蔽アルゴリズムを対応させながら適用するステップを含み、
各誤り隠蔽アルゴリズムタイプ指示子は前記画像の複数の重なり合っていない矩形領域に１つ１つ対応していることを特徴とする方法。
【請求項２４】  請求項１９に記載の方法において、
画像のシーン識別子と時間的に隣接し正しく復号化された画像のシーン識別子とを比較し、前記画像の前記シーン識別子が前記時間的に隣接し正しく復号化された画像の前記シーン識別子と同一であった時には、復号化過程で時間的予測誤り隠蔽アルゴリズムを適用するステップを含むことを特徴とする方法。
【請求項２５】  請求項２０に記載の方法において、
画像のシーン識別子と時間的に隣接し正しく復号化された画像のシーン識別子とを比較し、前記画像の前記シーン識別子が前記時間的に隣接し正しく復号化された画像の前記シーン識別子と同一であった時には、復号化過程で時間的予測誤り隠蔽アルゴリズムを適用するステップを含むことを特徴とする方法。
【請求項２６】  請求項１９に記載の方法において、
画像のシーン識別子と時間的に隣接し正しく復号化された画像のシーン識別子とを比較し、前記画像の前記シーン識別子が前記時間的に隣接し正しく復号化された画像の前記シーン識別子と異なっていた時には、復号化過程で非時間的予測誤り隠蔽アルゴリズムを適用するステップを含むことを特徴とする方法。
【請求項２７】  請求項２０に記載の方法において、
画像のシーン識別子と時間的に隣接し正しく復号化された画像のシーン識別子とを比較し、前記画像の前記シーン識別子が前記時間的に隣接し正しく復号化された画像の前記シーン識別子と異なっていた時には、復号化過程で非時間的予測誤り隠蔽アルゴリズムを適用するステップを含むことを特徴とする方法。
【請求項２８】  画像のシーケンスを表わしているビデオ信号を符号化して符号化ビデオ信号を作成する装置であって、前記装置は、
画像の全部又は一部についての誤り隠蔽アルゴリズムタイプ指示子を発生させ、
対応する復号化過程で、前記画像の符号化モードの指示とは分離して使用する前記誤り隠蔽アルゴリズムタイプ指示子を提供し、
前記誤り隠蔽アルゴリズムタイプ指示子は、誤り隠蔽アルゴリズムのタイプを指示し、該指示は対応する復号化過程で特定の誤り隠蔽アルゴリズムのタイプを選択する基礎として使用されるように構成されていることを特徴とする装置。
【請求項２９】  請求項２８に記載の装置において、前記装置は、
時間的予測タイプ又は非時間的予測タイプの誤り隠蔽アルゴリズムのいずれかを示す前記誤り隠蔽アルゴリズムタイプ指示子を発生させるよう構成されていることを特徴とする装置。
【請求項３０】  請求項２８に記載の装置において、前記装置は、
前記シーケンスの第１の画像又はその一部と前記シーケンスの第２の画像とを比較し、
前記第１の画像又はその一部と前記第２の画像との間の類似性の測度を計算し、
類似性の前記測度を類似性の所定の基準と比較することにより前記誤り隠蔽アルゴリズムタイプ指示子を発生させるよう構成されていることを特徴とする装置。
【請求項３１】  請求項２９に記載の装置において、前記装置は、
前記シーケンスの第１の画像又はその一部と前記シーケンスの第２の画像とを比較し、
前記第１の画像又はその一部と前記第２の画像との間の類似性の測度を計算し、
類似性の前記測度を類似性の所定の基準と比較することにより前記誤り隠蔽アルゴリズムタイプ指示子を発生させるよう構成されていることを特徴とする装置。
【請求項３２】  請求項３１に記載の装置において、前記装置は、
類似性の前記測度が類似性の前記所定の基準を満たさない時には、非時間的予測誤り隠蔽アルゴリズムが、前記第１の画像又はその一部についての対応する復号化過程で使用されるべきであることを示す前記誤り隠蔽アルゴリズムタイプ指示子を発生させ、
類似性の前記測度が類似性の前記所定の基準を満たす時には、時間的予測誤り隠蔽アルゴリズムが、前記第１の画像又はその一部についての対応する復号化過程で使用されるべきであることを示す前記誤り隠蔽アルゴリズムタイプ指示子を発生させるよう構成されていることを特徴とする装置。
【請求３３】  請求項３２に記載の装置において、前記装置は、
類似性の前記測度が類似性の前記所定の基準を満たさない時には、前記誤り隠蔽アルゴリズムタイプ指示子を更新するよう構成されていることを特徴とする装置。
【請求項３４】  請求項３２に記載の装置において、前記装置は、
前記誤り隠蔽アルゴリズムタイプ指示子を画像ヘッダ内に包含せしめるよう構成されていることを特徴とする装置。
【請求項３５】  請求項３２に記載の装置において、前記装置は、
前記ビデオ信号をＨ．２６３規格に従って符号化し、前記誤り隠蔽アルゴリズムタイプ指示子を前記規格の「補助的エンハンスメント情報」内に包含せしめるよう構成されていることを特徴とする装置。
【請求項３６】  請求項３２に記載の装置において、前記装置は、
前記誤り隠蔽アルゴリズムタイプ指示子としてシーン識別子を使用し、前記シーン識別子はシーンの全ての画像に対して同一値を持ち、各異なるシーンに対して異なる値を持つように構成されていることを特徴とする装置。
【請求項３７】  請求項３２に記載の装置において、前記装置は、
前記誤り隠蔽アルゴリズムタイプ指示子としてシーン識別子を使用し、前記シーン識別子はシーンの全ての画像に対して２つの値の１つを持ち、隣接シーンからの画像に対して非同一のシーン識別子の値を持つように構成されていることを特徴とする装置。
【請求項３８】  請求項３２に記載の装置において、前記装置は、
前記誤り隠蔽アルゴリズムタイプ指示子を画像セグメントヘッダ及び／又はマクロブロックヘッダ内に包含せしめるように構成されていることを特徴とする装置。
【請求項３９】  請求項３２に記載の装置において、前記装置は、
画像の特定の矩形領域に適用される誤り隠蔽アルゴリズムのタイプを示す前記誤り隠蔽アルゴリズムタイプ指示子を発生させるように構成されていることを特徴とする装置。
【請求項４０】  請求項３９に記載の装置において、前記装置は、
画像に対して複数の誤り隠蔽アルゴリズムタイプ指示子を発生させ、各誤り隠蔽アルゴリズムタイプ指示子は前記画像の複数の重なり合っていない矩形領域に１つ１つ対応するように構成されていることを特徴とする装置。
【請求項４１】  請求項３２に記載の装置において、前記装置は、
類似性の前記測度が類似性の前記所定の基準を満たしていない時には、前記誤り隠蔽アルゴリズムタイプ指示子を更新し、満たしている時には変更しないでそのままにしておくように構成されていることを特徴とする装置。
【請求項４２】  画像のシーケンスを表わしている符号化されたビデオ信号を復号化する装置であって、前記装置は、
画像の全部又は一部についての誤り隠蔽アルゴリズムタイプ指示子を受信し、受信した前記誤り隠蔽アルゴリズムタイプ指示子を指示されたタイプの特定の誤り隠蔽アルゴリズムを選択するための基礎として使用し、選択された前記誤り隠蔽アルゴリズムを適用して前記画像又はその一部中にある誤りを隠蔽するよう構成され、
前記誤り隠蔽アルゴリズムタイプ指示子は、前記画像の符号化モードの指示とは分離して使用されることを特徴とする装置。
【請求項４３】  請求項４２に記載の装置において、前記装置は、
前記誤り隠蔽アルゴリズムタイプ指示子を、誤り隠蔽アルゴリズムの時間的予測タイプ又は非時間的予測タイプのいずれかの指示として使用するように構成されていることを特徴とする装置。
【請求項４４】  請求項４３に記載の装置において、前記装置は、
前記誤り隠蔽アルゴリズムタイプ指示子を画像ヘッダから取得するように構成されていることを特徴とする装置。
【請求項４５】  請求項４３に記載の装置において、前記装置は、
Ｈ．２６３規格に従って符号化されたビデオ信号を受信し、前記符号化されたビデオ信号をＨ．２６３規格に従って復号化し、前記誤り隠蔽アルゴリズムタイプ指示子を前記規格の「補助的エンハンスメント情報」から取得するように構成されていることを特徴とする装置。
【請求項４６】  請求項４３に記載の装置において、前記装置は、
前記誤り隠蔽アルゴリズムタイプ指示子としてシーン識別子を使用し、前記シーン識別子はシーンの全ての画像に対して同一値を持ち、各異なるシーンに対して異なる値を持つように構成されていることを特徴とする装置。
【請求項４７】  請求項４３に記載の装置において、前記装置は、
前記誤り隠蔽アルゴリズムタイプ指示子としてシーン識別子を使用し、前記シーン識別子はシーンの全ての画像に対して２つの値の１つを持ち、隣接シーンからの画像に対して非同一のシーン識別子の値を持つように構成されていることを特徴とする装置。
【請求項４８】  請求項４３に記載の装置において、前記装置は、
前記誤り隠蔽アルゴリズムタイプ指示子を画像セグメントヘッダ又はマクロブロックヘッダから取得するように構成されていることを特徴とする装置。
【請求項４９】  請求項４３に記載の装置において、前記装置は、
前記誤り隠蔽アルゴリズムタイプ指示子を、画像の特定の矩形領域に適用される誤り隠蔽アルゴリズムのタイプを示す指示として使用するように構成されていることを特徴とする装置。
【請求項５０】  請求項４９に記載の装置において、
画像に対して複数の誤り隠蔽アルゴリズムタイプ指示子を受信し、各誤り隠蔽アルゴリズムを対応させながら適用し、
各誤り隠蔽アルゴリズムタイプ指示子は前記画像の複数の重なり合っていない矩形領域に１つ１つ対応するように構成されていることを特徴とする装置。
【請求項５１】  請求項４６に記載の装置において、前記装置は、
画像のシーン識別子と時間的に隣接し正しく復号化された画像のシーン識別子とを比較し、前記画像の前記シーン識別子が前記時間的に隣接し正しく復号化された画像の前記シーン識別子と同一であった時には、復号化過程で時間的予測誤り隠蔽アルゴリズムを適用するように構成されていることを特徴とする装置。
【請求項５２】  請求項４７に記載の装置において、前記装置は、
画像のシーン識別子と時間的に隣接し正しく復号化された画像のシーン識別子とを比較し、前記画像の前記シーン識別子が前記時間的に隣接し正しく復号化された画像の前記シーン識別子と同一であった時には、復号化過程で時間的予測誤り隠蔽アルゴリズムを適用するように構成されていることを特徴とする装置。
【請求項５３】  請求項４６に記載の装置において、前記装置は、
画像のシーン識別子と時間的に隣接し正しく復号化された画像のシーン識別子とを比較し、前記画像の前記シーン識別子が前記時間的に隣接し正しく復号化された画像の前記シーン識別子と異なっていた時には、復号化過程で非時間的予測誤り隠蔽アルゴリズムを適用するように構成されていることを特徴とする装置。
【請求項５４】  請求項４７に記載の装置において、前記装置は、
画像のシーン識別子と時間的に隣接し正しく復号化された画像のシーン識別子とを比較し、前記画像の前記シーン識別子が前記時間的に隣接し正しく復号化された画像の前記シーン識別子と異なっていた時には、復号化過程で非時間的予測誤り隠蔽アルゴリズムを適用するように構成されていることを特徴とする装置。
【請求項５５】  画像のシーケンスを表わしているビデオ信号を符号化して符号化ビデオ信号を作成する少なくとも１つの装置と、画像のシーケンスを表わしている符号化されたビデオ信号を復号化する装置とを含む携帯無線通信デバイスであって、ビデオ信号を符号化する前記装置は、
画像の全部又は一部についての誤り隠蔽アルゴリズムタイプ指示子を発生させ、
対応する復号化過程で、前記画像の符号化モードの指示とは分離して使用する前記誤り隠蔽アルゴリズムタイプ指示子を提供し、
前記誤り隠蔽アルゴリズムタイプ指示子は、誤り隠蔽アルゴリズムのタイプを指示し、該指示は対応する復号化過程で特定の誤り隠蔽アルゴリズムのタイプを選択する基礎として使用されるように構成され、
符号化されたビデオ信号を復号化する前記装置は、
画像の全部又は一部についての誤り隠蔽アルゴリズムタイプ指示子を受信し、受信した前記誤り隠蔽アルゴリズムタイプ指示子を指示されたタイプの特定の誤り隠蔽アルゴリズムを選択するための基礎として使用し、選択された前記誤り隠蔽アルゴリズムを適用して前記画像又はその一部中にある誤りを隠蔽するよう構成され、
前記誤り隠蔽アルゴリズムタイプ指示子は、前記画像の符号化モードの指示とは分離して使用されるように構成されていることを特徴とするデバイス。
【請求項５６】  画像のシーケンスを表わしているビデオ信号を符号化して符号化ビデオ信号を作成する装置であって、前記装置は、
画像の全部又は一部についての誤り隠蔽アルゴリズムタイプ指示子を発生させ、
対応する復号化過程で、前記画像の符号化モードの指示とは分離して使用する前記誤り隠蔽アルゴリズムタイプ指示子を提供し、
前記誤り隠蔽アルゴリズムタイプ指示子は、誤り隠蔽アルゴリズムのタイプを指示し、該指示は対応する復号化過程で特定の誤り隠蔽アルゴリズムのタイプを選択する基礎として使用されるように動作する１つ以上の機能ユニットを備えていることを特徴とする装置。
【請求項５７】  画像のシーケンスを表わしている符号化されたビデオ信号を復号化する装置であって、前記装置は、
画像の全部又は一部についての誤り隠蔽アルゴリズムタイプ指示子を受信し、受信した前記誤り隠蔽アルゴリズムタイプ指示子を指示されたタイプの特定の誤り隠蔽アルゴリズムを選択するための基礎として使用し、選択された前記誤り隠蔽アルゴリズムを適用して前記画像又はその一部中にある誤りを隠蔽するよう構成され、
前記誤り隠蔽アルゴリズムタイプ指示子は、前記画像の符号化モードの指示とは分離して使用されるように動作する１つ以上の機能ユニットを備えていることを特徴とする装置。
【請求項５８】  画像のシーケンスを表わしているビデオ信号を符号化して符号化ビデオ信号を作成する装置であって、前記装置は、
画像の全部又は一部についての誤り隠蔽アルゴリズムタイプ指示子を発生させる手段と、
対応する復号化過程で、前記画像の符号化モードの指示とは分離して使用する前記誤り隠蔽アルゴリズムタイプ指示子を提供する手段とを備え、
前記誤り隠蔽アルゴリズムタイプ指示子は、誤り隠蔽アルゴリズムのタイプを指示し、該指示は前記対応する復号化過程で特定の誤り隠蔽アルゴリズムのタイプを選択する基礎として使用されることを特徴とする装置。
【請求項５９】  画像のシーケンスを表わしている符号化されたビデオ信号を復号化する装置であって、前記装置は、
画像の全部又は一部についての誤り隠蔽アルゴリズムタイプ指示子を受信する手段と、受信した前記誤り隠蔽アルゴリズムタイプ指示子を指示されたタイプの特定の誤り隠蔽アルゴリズムを選択するための基礎として使用する手段と、選択された前記誤り隠蔽アルゴリズムを適用して前記画像又はその一部中にある誤りを隠蔽する手段とを備え、
前記誤り隠蔽アルゴリズムタイプ指示子は、前記画像の符号化モードの指示とは分離して使用されることを特徴とする装置。
【請求項６０】  画像のシーケンスを表わしているビデオ信号を符号化して符号化ビデオ信号を作成する装置であって、前記装置は、
画像の全部又は一部についての誤り隠蔽アルゴリズムタイプ指示子を発生させ、
対応する復号化過程で、前記画像の符号化モードの指示とは分離して使用する前記誤り隠蔽アルゴリズムタイプ指示子を提供し、
前記誤り隠蔽アルゴリズムタイプ指示子は、誤り隠蔽アルゴリズムのタイプを指示し、該指示は対応する復号化過程で特定の誤り隠蔽アルゴリズムのタイプを選択する基礎として使用されるように制御するプロセッサを備えていることを特徴とする装置。
【請求項６１】  画像のシーケンスを表わしている符号化されたビデオ信号を復号化する装置であって、前記装置は、
画像の全部又は一部についての誤り隠蔽アルゴリズムタイプ指示子を受信し、受信した前記誤り隠蔽アルゴリズムタイプ指示子を指示されたタイプの特定の誤り隠蔽アルゴリズムを選択するための基礎として使用し、選択された前記誤り隠蔽アルゴリズムを適用して前記画像又はその一部中にある誤りを隠蔽し、
前記誤り隠蔽アルゴリズムタイプ指示子は、前記画像の符号化モードの指示とは分離して使用されるように制御するプロセッサを備えていることを特徴とする装置。
【請求項６２】  画像のシーケンスを表わしている符号化されたビデオ信号であって、
前記符号化されたビデオ信号は、画像の全部又は一部についての誤り隠蔽アルゴリズムタイプ指示子を含み、前記誤り隠蔽アルゴリズムタイプ指示子は前記画像の符号化モードの指示とは分離して使用され、前記符号化されたビデオ信号は、誤り隠蔽アルゴリズムのタイプの指示を提供し、該指示は対応する復号化過程で特定の誤り隠蔽アルゴリズムのタイプを選択する基礎として使用されることを特徴とする符号化されたビデオ信号。